(57)【要約】【課題】２つの層に記録可能な光ディスクに映像情報を適正に記録する。【解決手段】ＤＶＤレコーダ１００のＤＳＰ３２は、バッファメモリ３５に格納された映像情報を、光ディスク２に記録する記録実行部３２２と、終端判定部３２３によって光ディスク２の第０層の記録可能な空き容量が所定の閾値以下であると判定された場合に、バッファメモリ３５に格納された映像情報を、光ディスク２に換えてＨＤＤ８の映像記憶部８２に記録する切換部３２４と、記録実行部３２２による第１層への書き込み準備処理が完了したか否かを判定する準備判定部３２５と、を備え、第１層への書き込み準備処理が完了したと判定された場合に、切換部３２４が、記録実行部３２２に対して、映像記憶部８２に格納された映像情報を、光ディスク２の第１層に記録させる。【選択図】図２
2009104698.tif 000002
【特許請求の範囲】
【請求項１】
映像情報を記録可能な記録媒体と通信可能に接続され、光ピップアップを介して第０層及び第１層の２つの層に記録可能な光ディスクに映像情報を記録する光ディスク記録装置であって、
前記光ディスクへ記録する映像情報を一時的に格納する第１記憶手段と、
前記光ディスクへ記録する映像情報を受け付けて、前記第１記憶手段に記録する受付手段と、
前記第１記憶手段に格納された映像情報を、予め設定された所定のサイズ毎に、前記光ピップアップを介して前記光ディスクの第０層及び第１層に順に記録する記録実行手段と、
前記記録実行手段によって前記光ディスクの第０層に記録されている場合に、第０層の記録可能な空き容量が予め設定された所定の閾値以下であるか否かを判定する終端判定手段と、
前記記録媒体に形成され、前記光ディスクへ記録する映像情報を一時的に格納する第２記憶手段と、
前記終端判定手段によって空き容量が所定の閾値以下であると判定された場合に、前記第１記憶手段に格納された映像情報を、前記所定のサイズ毎に、前記光ディスクに換えて前記第２記憶手段に記録する切換手段と、
前記記録実行手段による第１層への書き込み準備処理が完了したか否かを判定する準備判定手段と、
を備え、
前記記録実行手段は、前記終端判定手段によって空き容量が所定の閾値以下であると判定された場合に、第０層の終端処理を行うと共に、第１層への書き込み準備処理を行い、
前記切換手段は、前記準備判定手段によって第１層への書き込み準備処理が完了したと判定された場合に、前記記録実行手段に対して、前記第２記憶手段に格納された映像情報を、前記所定のサイズ毎に、前記光ディスクの第１層に記録させることを特徴とする光ディスク記録装置。
【請求項２】
前記記録実行手段によって前記第２記憶手段に格納された全ての映像情報が前記光ディスクの第１層に記録されたか否かを判定する記録判定手段を備え、
前記切換手段は、前記記録判定手段によって全ての映像情報が前記光ディスクの第１層に記録されたと判定された場合に、前記記録実行手段に対して、前記第１記憶手段に格納された映像情報を、前記所定のサイズ毎に、前記光ディスクの第１層に記録させることを特徴とする請求項１に記載の光ディスク記録装置。
【請求項３】
前記光ディスクは、ＤＶＤ（Ｄｉｇｉｔａｌ  Ｖｅｒｓａｔｉｌｅ  Ｄｉｓｋ）であって、
前記所定のサイズは、ＤＶＤ−Ｖｉｄｅｏ規格で規定された再生の基本単位であるセル（Ｃｅｌｌ）に対応するサイズであって、
前記所定の閾値は、前記所定のサイズと略同一の値に設定されていることを特徴とする請求項１又は請求項２に記載の光ディスク記録装置。
【請求項４】
前記記録媒体は、ＨＤＤ（Ｈａｒｄ  Ｄｉｓｋ  Ｄｒｉｖｅ）を備えることを特徴とする請求項１〜請求項３のいずれかに記載の光ディスク記録装置。
【発明の詳細な説明】
【技術分野】
【０００１】
本発明は、映像情報を記録可能な記録媒体と通信可能に接続され、光ピップアップを介して第０層及び第１層の２つの層に記録可能な光ディスクに映像情報を記録する光ディスク記録装置に関する。特に、ＨＤＤ（Ｈａｒｄ  Ｄｉｓｋ  Ｄｒｉｖｅ）と通信可能に接続され、光ピップアップを介して２つの層（＝第０層及び第１層）に記録可能なＤＶＤ（Ｄｉｇｉｔａｌ  Ｖｅｒｓａｔｉｌｅ  Ｄｉｓｋ）−Ｒ（Ｒｅｃｏｒｄａｂｌｅ）に情報を記録するＤＶＤレコーダに関する。
【背景技術】
【０００２】
第０層及び第１層の２つの層に記録可能なＤＶＤ（Ｄｉｇｉｔａｌ  Ｖｅｒｓａｔｉｌｅ  Ｄｉｓｋ）では、ＤＶＤ−Ｖｉｄｅｏ規格（例えば、ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３；Ｖｅｒｓｉｏｎ  １．０  Ａｕｇｕｓｔ  １９９６）において、再生の基本単位である１のセル（Ｃｅｌｌ）を、記録層（ｌａｙｅｒ）を跨いで記録してはならないことが規定されているため、この規定を満たすための種々の方法及び装置等が提案されている。
【０００３】
例えば、第１記録層に再生基本単位（Ｃｅｌｌ単位）でデータの記録中において、第１記録層の未記録領域のサイズを検出し、第１記録層の未記録領域のサイズを所定値（再生基本単位の最大許容サイズ、第１記録層に記録しようとするデータのサイズ等）と比較し、未記録領域のサイズが前記所定値より小さくなったときに、データ管理単位の境界で第１記録層への記録を停止し、以降のデータの記録を第２記録層に行う情報記録装置が開示されている（特許文献１参照）。
【特許文献１】特表２００７−５０４５９０号公報
【発明の開示】
【発明が解決しようとする課題】
【０００４】
しかしながら、上記情報記録装置では、第１記録層への記録を停止中に、ＤＶＤに記録すべきデータをバッファメモリに格納する必要があるが、記録すべきデータのサイズがバッファメモリの容量を超えた場合には、記録すべきデータの生成を停止する必要があるため、例えば、テレビジョン放送を介して取得されたデータをＤＶＤに記録する場合には、ＤＶＤに格納されるデータに欠落が発生する虞がある。
【０００５】
すなわち、第１記録層への記録を停止中に、テレビジョン放送を介して取得されたデータのサイズが、バッファメモリの容量を超えた場合には、超えた分のデータは破棄されることになるため、ＤＶＤに格納されるデータに欠落が発生するものである。
【０００６】
上記の課題に鑑みて、本発明は、２つの層に記録可能な光ディスクに映像情報を適正に記録することの可能な光ディスク記録装置を提供することを目的としている。
【課題を解決するための手段】
【０００７】
上記目的を達成するために請求項１に記載の光ディスク記録装置は、映像情報を記録可能な記録媒体と通信可能に接続され、光ピップアップを介して第０層及び第１層の２つの層に記録可能な光ディスクに映像情報を記録する光ディスク記録装置であって、前記光ディスクへ記録する映像情報を一時的に格納する第１記憶手段と、前記光ディスクへ記録する映像情報を受け付けて、前記第１記憶手段に記録する受付手段と、前記第１記憶手段に格納された映像情報を、予め設定された所定のサイズ毎に、前記光ピップアップを介して前記光ディスクの第０層及び第１層に順に記録する記録実行手段と、前記記録実行手段によって前記光ディスクの第０層に記録されている場合に、第０層の記録可能な空き容量が予め設定された所定の閾値以下であるか否かを判定する終端判定手段と、前記記録媒体に形成され、前記光ディスクへ記録する映像情報を一時的に格納する第２記憶手段と、前記終端判定手段によって空き容量が所定の閾値以下であると判定された場合に、前記第１記憶手段に格納された映像情報を、前記所定のサイズ毎に、前記光ディスクに換えて前記第２記憶手段に記録する切換手段と、前記記録実行手段による第１層への書き込み準備処理が完了したか否かを判定する準備判定手段と、を備え、前記記録実行手段が、前記終端判定手段によって空き容量が所定の閾値以下であると判定された場合に、第０層の終端処理を行うと共に、第１層への書き込み準備処理を行い、前記切換手段が、前記準備判定手段によって第１層への書き込み準備処理が完了したと判定された場合に、前記記録実行手段に対して、前記第２記憶手段に格納された映像情報を、前記所定のサイズ毎に、前記光ディスクの第１層に記録させることを特徴としている。
【０００８】
請求項２に記載の光ディスク記録装置は、請求項１に記載の光ディスク記録装置であって、前記記録実行手段によって前記第２記憶手段に格納された全ての映像情報が前記光ディスクの第１層に記録されたか否かを判定する記録判定手段を備え、前記切換手段が、前記記録判定手段によって全ての映像情報が前記光ディスクの第１層に記録されたと判定された場合に、前記記録実行手段に対して、前記第１記憶手段に格納された映像情報を、前記所定のサイズ毎に、前記光ディスクの第１層に記録させることを特徴としている。
【０００９】
請求項３に記載の光ディスク記録装置は、請求項１又は請求項２に記載の光ディスク記録装置であって、前記光ディスクが、ＤＶＤ（Ｄｉｇｉｔａｌ  Ｖｅｒｓａｔｉｌｅ  Ｄｉｓｋ）であって、前記所定のサイズは、ＤＶＤ−Ｖｉｄｅｏ規格で規定された再生の基本単位であるセル（Ｃｅｌｌ）に対応するサイズであって、前記所定の閾値が、前記所定のサイズと略同一の値に設定されていることを特徴としている。
【００１０】
請求項４に記載の光ディスク記録装置は、請求項１〜請求項３のいずれかに記載の光ディスク記録装置であって、記録媒体が、ＨＤＤ（Ｈａｒｄ  Ｄｉｓｋ  Ｄｒｉｖｅ）を備えることを特徴としている。
【発明の効果】
【００１１】
請求項１に記載の光ディスク記録装置によれば、光ディスクへ記録する映像情報が受け付けられて、第１記憶手段に記録され、第１記憶手段に格納された映像情報が、予め設定された所定のサイズ毎に、光ピップアップを介して光ディスクの第０層及び第１層に順に記録される。そして、光ディスクの第０層に記録されている場合に、第０層の記録可能な空き容量が予め設定された所定の閾値以下であるか否かが判定され、空き容量が所定の閾値以下であると判定された場合に、第１記憶手段に格納された映像情報が、所定のサイズ毎に、光ディスクに換えて、記録媒体に形成され、光ディスクへ記録する映像情報を一時的に格納する第２記憶手段に記録されると共に、第０層の終端処理が行われ、第１層への書き込み準備処理が行われる。また、第１層への書き込み準備処理が完了したか否かが判定され、第１層への書き込み準備処理が完了したと判定された場合に、第２記憶手段に格納された映像情報が、所定のサイズ毎に、光ディスクの第１層に記録されるため、２つの層に記録可能な光ディスクに映像情報を適正に記録することができる。
【００１２】
すなわち、第０層の記録可能な空き容量が所定の閾値以下であると判定された場合に、第１記憶手段に格納された映像情報が、所定のサイズ毎に、光ディスクに換えて、記録媒体に形成され、光ディスクへ記録する映像情報を一時的に格納する第２記憶手段に記録されるため、第０層の終端処理及び第１層への書き込み準備処理が行われている間は、映像情報が光ディスクに換えて記録媒体に形成された第２記憶手段に記録されるので、第１記憶手段に空き容量が無い場合であっても、映像情報が破棄されることがない。
【００１３】
また、第１層への書き込み準備処理が完了したと判定された場合に、第２記憶手段に格納された映像情報が、所定のサイズ毎に、光ディスクの第１層に記録されるため、第１層の終端処理及び第２層への書き込み準備処理が行われている間に第２記憶手段に格納された映像情報が、光ディスクの第１層に記録されるので、光ディスクに格納される映像情報に欠落が発生することがないので、２つの層に記録可能な光ディスクに映像情報を適正に記録することができるのである。
【００１４】
請求項２に記載の光ディスク記録装置によれば、第２記憶手段に格納された全ての映像情報が光ディスクの第１層に記録されたか否かが判定され、全ての映像情報が光ディスクの第１層に記録されたと判定された場合に、第１記憶手段に格納された映像情報が、所定のサイズ毎に、光ディスクの第１層に記録されるため、簡素な構成で２つの層に記録可能な光ディスクに映像情報を適正に記録することができる。
【００１５】
すなわち、第２記憶手段に格納された全ての映像情報が光ディスクの第１層に記録されたか否かが判定され、全ての映像情報が光ディスクの第１層に記録されたと判定された場合に、第１記憶手段に格納された映像情報が、所定のサイズ毎に、光ディスクの第１層に記録されるため、第１層の終端処理及び第２層への書き込み準備処理が行われている間の映像情報だけが第２記憶手段に格納され、第２記憶手段の容量を小さくすることができるので、簡素な構成で２つの層に記録可能な光ディスクに映像情報を適正に記録することができるのである。
【００１６】
請求項３に記載の光ディスク記録装置によれば、光ディスクが、ＤＶＤであって、所定のサイズが、ＤＶＤ−Ｖｉｄｅｏ規格で規定された再生の基本単位であるセル（Ｃｅｌｌ）に対応するサイズであって、所定の閾値が、所定のサイズと略同一の値に設定されているため、２つの層に記録可能な光ディスクに映像情報を更に適正に記録することができる。
【００１７】
すなわち、光ディスクに換えて第２記憶手段に記録するか否かの基準となる所定の閾値が、ＤＶＤ−Ｖｉｄｅｏ規格で規定された再生の基本単位であるセルに対応する所定のサイズと略同一の値に設定されているため、第０層に記録可能なサイズの映像情報を記録することができ、且つ、ＤＶＤ−Ｖｉｄｅｏ規格に準拠してＤＶＤに映像情報を記録することができるので、２つの層に記録可能な光ディスクに映像情報を更に適正に記録することができるのである。
【００１８】
請求項４に記載の光ディスク記録装置によれば、記録媒体がＨＤＤを備えるため、ＨＤＤ内の一部領域を、第１層の終端処理及び第２層への書き込み準備処理が行われている間の映像情報を格納する第２記憶手段として利用することができるので、更に簡素な構成で２つの層に記録可能な光ディスクに映像情報を適正に記録することができる。
【発明を実施するための最良の形態】
【００１９】
以下に本発明の実施形態を、図面を参照しながら説明する。図１は、本発明に係るＤＶＤレコーダの一例を示す構成図である。ＤＶＤレコーダ１００（光ディスク記録装置に相当する）は、本発明に係る光ピックアップ１、出力装置３、制御装置４、駆動装置５、表示部６、操作部７、及び、ＨＤＤ８を備えている。
【００２０】
また、ＤＶＤレコーダ１００は、テレビ受像機２００と通信可能に構成されている。テレビ受像機２００は、スピーカ及びモニタ（図示省略）を備え、テレビジョン放送を受信して、受信された映像情報をＤＶＤレコーダ１００へ出力すると共に、ＤＶＤレコーダ１００からの音声情報、映像情報等の情報を、スピーカ及びモニタを介して出力するものである。
【００２１】
光ピックアップ１は、ＬＤ（Ｌａｓｅｒ  Ｄｉｏｄｅ）１１を備え、再生する対象の光ディスク２（ここでは、ＤＶＤ−Ｒ）からの反射光を電気信号に変換し、光ディスク２に格納された音声情報、映像情報等の各種情報の読み取りを行うと共に、音声情報、映像情報等の各種情報の光ディスク２への書き込みを行うものである。ＬＤ１１は、光ディスク２に格納された情報を読み取ると共に、情報を光ディスク２へ書き込むレーザ光を照射するものである。また、光ピックアップ１は、スレッドモータ５１によって、光ディスク２の径方向、及び、垂直方向（近接、離間方向）に移動可能に構成されている。
【００２２】
ＤＶＤレコーダ１００に載置される光ディスク２は、ここでは、ＤＶＤ−Ｒであって、第０層及び第１層からなる２層に記録することが可能に構成されると共に、第０層の内周側から外周側へ順に記録された後、第１層の外周側から内周側へ記録されるものである。
【００２３】
出力装置３は、光ピックアップ１からの音声情報、映像情報等の情報を、音声及び画像に変換して、それぞれ、テレビ受像機２００に配設された図略のスピーカ及びモニタに出力すると共に、テレビ受像機２００からの音声情報、映像情報等の情報を変換して、光ピックアップ１へ出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、出力回路３４、及び、バッファメモリ３５を備えている。ＲＦアンプ３１は、光ピックアップ１からの音声情報、映像情報等に対応する信号を増幅するものである。
【００２４】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、テレビ受像機２００に配設された図略のスピーカ及びモニタに出力するためにＤＡ変換処理等を行うものである。また、ＤＳＰ３２は、テレビ受像機２００からの情報を変換するものである。
【００２５】
バッファメモリ３５（第１記憶手段に相当する）は、ＥＥＰ（Ｅｌｅｃｔｒｉｃａｌｌｙ  Ｅｒａｓａｂｌｅ  Ｐｒｏｇｒａｍｍａｂｌｅ）−ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等からなり、光ピックアップ１を介して光ディスク２から読み出された映像情報、テレビ受像機２００から受け付けられた映像情報等を一時的に格納するものである。
【００２６】
バッファメモリ３５に格納された映像情報は、ＤＳＰ３２（図２に示す記録実行部３２２）によって読み出されて、光ディスク２に記録される。また、光ディスク２の第０層の終端処理又は第１層への書き込み準備処理が行われている間は、バッファメモリ３５に格納された映像情報は、ＤＳＰ３２（図２に示す切換部３２４）によって読み出されて、ＨＤＤ８（図２に示す映像記憶部８２）に記録される。
【００２７】
制御装置４は、操作部７を介して受け付けた指示操作に基づいて、光ピックアップ１及び駆動装置５の動作を制御するものであって、システムコントローラ４１、ドライバＩＣ４２、及び、インターフェイス部４３を備えている。システムコントローラ４１は、操作部７からの情報を受け付けてＤＳＰ３２に伝送すると共に、ＤＳＰ３２からの情報を表示部６に伝送するものである。インターフェイス部４３は、システムコントローラ４１からの指示に従って、テレビ受像機２００から映像情報等を受け付けるものである。
【００２８】
ドライバＩＣ４２は、ＤＳＰ３２からの指示に基づいて、光ピックアップ１及び駆動装置５の動作を制御するものである。具体的には、ドライバＩＣ４２は、光ピックアップ１に配設されたＬＤ１１の動作を制御すると共に、駆動装置５を構成するスレッドモータ５１及びスピンドルモータ５２の動作を制御するものである。
【００２９】
駆動装置５は、スレッドモータ５１及びスピンドルモータ５２を備える。スレッドモータ５１は、ドライバＩＣ４２からの指示に基づいて光ピックアップ１を光ディスク２の径方向及び垂直方向に移動させるものである。スピンドルモータ５２は、ドライバＩＣ４２からの指示に基づいて光ディスク２を回転駆動するものである。
【００３０】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３１】
ＨＤＤ（Ｈａｒｄ  Ｄｉｓｋ  Ｄｒｉｖｅ）８（記録媒体に相当する）は、インターフェイス部８１を介して、映像情報等の各種情報を格納するものである。インターフェイス部８１は、ＲＡＭ（Ｒａｎｄｏｍ  Ａｃｃｅｓｓ  Ｍｅｍｏｒｙ）８１１（図２参照）を備え、ＤＳＰ３２からの指示に従って、ＨＤＤ８に映像情報等の各種情報を記録すると共に、ＨＤＤ８に格納された映像情報等の各種情報を読み出すものである。
【００３２】
図２は、ＤＶＤレコーダ１００（ＤＳＰ３２）における主要部の機能構成の一例を示す構成図である。ＤＳＰ３２に配設された図略のＣＰＵ（Ｃｅｎｔｒａｌ  Ｐｒｏｃｅｓｓｉｎｇ  Ｕｎｉｔ）は、機能的に、受付部３２１、記録実行部３２２、終端判定部３２３、切換部３２４、準備判定部３２５、及び、記録判定部３２６を備え、ＨＤＤ８は、機能的に、映像記憶部８２を備えている。
【００３３】
ここでは、ＤＳＰ３２に配設された図略のＣＰＵが、図略のＲＯＭ（Ｒｅａｄ  Ｏｎｌｙ  Ｍｅｍｏｒｙ）等に予め格納されたプログラムを読み出して実行することにより、受付部３２１、記録実行部３２２、終端判定部３２３、切換部３２４、準備判定部３２５、記録判定部３２６等の機能部として機能すると共に、ＨＤＤ８を、映像記憶部８２等の機能部として機能させるものである。
【００３４】
また、図略のＲＡＭ（Ｒａｎｄｏｍ  Ａｃｃｅｓｓ  Ｍｅｍｏｒｙ）又はＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００３５】
映像記憶部８２（第２記憶手段に相当する）は、ＨＤＤに形成され、光ディスク２へ記録する映像情報を一時的に格納するものである。映像記憶部８２に格納される映像情報は、切換部３２４によって、記録される（＝書き込まれる）と共に、読み出されるものである。
【００３６】
受付部３２１（受付手段に相当する）は、テレビ受像機２００から光ディスク２へ記録する映像情報を受け付けて、バッファメモリ３５に記録する（＝書き込む）ものである。
【００３７】
記録実行部３２２（記録実行手段に相当する）は、バッファメモリ３５に格納された映像情報を、予め設定された所定のサイズ（ここでは、セルに対応するサイズ）毎に、光ピップアップ１を介して光ディスク２の第０層及び第１層に順に（＝第０層から第１層の順に）記録するものである。
【００３８】
また、記録実行部３２２は、終端判定部３２３によって空き容量が所定の閾値以下であると判定された場合に、第０層の終端処理を行うと共に、第１層への書き込み準備処理を行うものである。すなわち、記録実行部３２２は、第０層の終端処理又は第１層への書き込み準備処理を行っている間は、光ディスク２への記録処理を中断し、切換部３２４からの指示に基づいて、第１層への書き込み処理を開始するものである。
【００３９】
ここで、セル（Ｃｅｌｌ）について説明する。セル（Ｃｅｌｌ）とは、ＤＶＤ−Ｖｉｄｅｏ規格（例えば、ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３；Ｖｅｒｓｉｏｎ  １．０  Ａｕｇｕｓｔ  １９９６）において規定された再生の基本単位であって、ＤＶＤ−Ｖｉｄｅｏ規格には、１のセルを、記録層（ここでは、第０層及び第１層）を跨いで記録してはならないことが規定されている。
【００４０】
また、セルは、ＤＶＤ等の記録媒体への記録及び再生時の最小の単位であるＶＯＢＵ（Ｖｉｄｅｏ  Ｏｂｊｅｃｔ  Ｕｎｉｔ）という０．４〜１．２秒程度のＭＰＥＧ２データが複数個だけ集まって構成されるものである。
【００４１】
終端判定部３２３（終端判定手段に相当する）は、記録実行部３２２によって光ディスク２の第０層に記録されている場合に、第０層の記録可能な空き容量が予め設定された所定の閾値以下であるか否かを判定するものである。ここでは、所定の閾値は、セルに対応するサイズと略同一の値に設定されている。
【００４２】
切換部３２４（切換手段に相当する）は、終端判定部３２３によって空き容量が所定の閾値以下であると判定された場合に、バッファメモリ３５に格納された映像情報を、所定のサイズ（ここでは、セルに対応するサイズ）毎に、光ディスク２に換えて映像記憶部８２に記録するものである。
【００４３】
また、切換部３２４は、準備判定部３２５によって第１層への書き込み準備処理が完了したと判定された場合に、記録実行部３２２に対して、映像記憶部８２に格納された映像情報を、所定のサイズ（ここでは、セルに対応するサイズ）毎に、光ディスク２の第１層に記録させるものである。
【００４４】
更に、切換部３２４は、記録判定部３２６によって映像記憶部８２に格納された全ての映像情報が光ディスク２の第１層に記録されたと判定された場合に、記録実行部３２２に対して、バッファメモリ３５に格納された映像情報を、所定のサイズ（ここでは、セルに対応するサイズ）毎に、光ディスク２の第１層に記録させるものである。
【００４５】
準備判定部３２５（準備判定手段に相当する）は、記録実行部３２２による光ディスク２の第１層への書き込み準備処理が完了したか否かを判定するものである。
【００４６】
記録判定部３２６（記録判定手段に相当する）は、記録実行部３２２によって映像記憶部８２に格納された全ての映像情報が光ディスク２の第１層に記録されたか否かを判定するものである。
【００４７】
図３は、テレビ受像機２００から受け付けられた映像情報の流れの変化を示すブロック図である。（ａ）は、終端判定部３２３によって第０層の記録可能な空き容量が所定の閾値以下であると判定されるまで、及び、記録判定部３２６によって、映像記憶部８２に格納された全ての映像情報が光ディスク２の第１層に記録されたと判定された時点以降の映像情報の流れを示すブロック図である。
【００４８】
（ａ）に示すように、テレビ受像機２００から受け付けられた映像情報は、受付部３２１によって、バッファメモリ３５に記録され、バッファメモリ３５に格納された映像情報は、記録実行部３２２によって、セルに対応するサイズ毎に、光ディスク２の第０層（又は第１層）に記録される。
【００４９】
（ｂ）は、終端判定部３２３によって第０層の記録可能な空き容量が所定の閾値以下であると判定された時点から、準備判定部３２５によって、光ディスク２の第１層への書き込み準備処理が完了したと判定されるまでの映像情報の流れを示すブロック図である。
【００５０】
（ｂ）に示すように、テレビ受像機２００から受け付けられた映像情報は、受付部３２１によって、バッファメモリ３５に記録され、バッファメモリ３５に格納された映像情報は、切換部３２４によって、セルに対応するサイズ毎に、光ディスク２に換えてＨＤＤ８の映像記憶部８２に記録される。
【００５１】
（ｃ）は、準備判定部３２５によって、光ディスク２の第１層への書き込み準備処理が完了したと判定された時点から、記録判定部３２６によって、映像記憶部８２に格納された全ての映像情報が光ディスク２の第１層に記録されたと判定されるまでの映像情報の流れを示すブロック図である。
【００５２】
（ｃ）に示すように、テレビ受像機２００から受け付けられた映像情報は、受付部３２１によって、バッファメモリ３５に記録され、バッファメモリ３５に格納された映像情報は、切換部３２４によって、セルに対応するサイズ毎に、ＨＤＤ８の映像記憶部８２に記録され、ＨＤＤ８の映像記憶部８２に格納された映像情報は、記録実行部３２２によって、光ディスク２の第１層に記録される。
【００５３】
つまり、テレビ受像機２００から受け付けられた映像情報の流れは、図３の（ａ）→（ｂ）→（ｃ）→（ａ）の順に変化する。
【００５４】
図４、図５は、本発明に係るＤＶＤレコーダ１００（主にＤＳＰ３２）の動作の一例を示すフローチャートである。ここでは、便宜上、初期状態として、光ディスク２の第０層に空き容量が充分にある場合（例えば、光ディスク２に全く情報が書き込まれていない場合）について説明する。まず、図４に示すように、受付部３２１によって、テレビ受像機２００から映像情報が受け付けられたか否かの判定が行われる（Ｓ１０１）。
【００５５】
映像情報が受け付けられていないと判定された場合（Ｓ１０１でＮＯ）には、処理が待機状態とされる。映像情報が受け付けられたと判定された場合（Ｓ１０１でＹＥＳ）には、受付部３２１によって、受け付けられた映像情報がバッファメモリ３５に順次記録される（Ｓ１０３）。そして、記録実行部３２２によって、バッファメモリ３５に格納された映像情報が、セルに対応するサイズ毎に、光ディスク２の第０層に記録される（Ｓ１０５）。次いで、終端判定部３２３によって、第０層の記録可能な空き容量が所定の閾値以下であるか否かの判定が行われる（Ｓ１０７）。
【００５６】
第０層の記録可能な空き容量が所定の閾値以下ではないと判定された場合（Ｓ１０７でＮＯ）には、処理がステップＳ１０５に戻され、ステップＳ１０５以降の処理が繰り返し実行される。第０層の記録可能な空き容量が所定の閾値以下であると判定された場合（Ｓ１０７でＹＥＳ）には、切換部３２４によって、バッファメモリ３５に格納された映像情報が、セルに対応するサイズ毎に、映像記憶部８２に記録される（Ｓ１０９）。そして、記録実行部３２２によって、第０層の終端処理が実行される（Ｓ１１１）。
【００５７】
次に、図５に示すように、記録実行部３２２によって、第１層への書き込み準備処理が行われる（Ｓ１１３）。次いで、準備判定部３２５によって、記録実行部３２２による第１層への書き込み準備処理が終了したか否かの判定が行われる（Ｓ１１５）。書き込み準備処理が終了していないと判定された場合（Ｓ１１５でＮＯ）には、処理が待機状態とされる。書き込み準備処理が終了したと判定された場合（Ｓ１１５でＹＥＳ）には、切換部３２４によって、記録実行部３２２を介して、ＨＤＤ８の映像記憶部８２に格納された映像情報が、セルに対応するサイズ毎に、光ディスク２の第１層に記録される（Ｓ１１７）。
【００５８】
そして、記録判定部３２６によって、ＨＤＤ８の映像記憶部８２に格納された全ての映像情報が光ディスク２の第１層に記録されたか否かの判定が行われる（Ｓ１１９）。全ての映像情報が記録されてはいないと判定された場合（Ｓ１１９でＮＯ）には、処理が待機状態とされる。全ての映像情報が記録されたと判定された場合（Ｓ１１９でＹＥＳ）には、切換部３２４によって、記録実行部３２２を介して、バッファメモリ３５に格納された映像情報が、セルに対応するサイズ毎に、光ディスク２の第１層に記録される（Ｓ１２１）。そして、受付部３２１によって、テレビ受像機２００からの映像情報が終了したか否かの判定が行われる（Ｓ１２３）。テレビ受像機２００からの映像情報が終了していないと判定された場合（Ｓ１２３でＮＯ）には、処理が待機状態とされる。テレビ受像機２００からの映像情報が終了したと判定された場合（Ｓ１２３でＹＥＳ）には、受信された映像情報が全て光ディスク２に格納された時点で処理が終了される。
【００５９】
このようにして、光ディスク２へ記録する映像情報が受け付けられて、バッファメモリ３５に記録され、バッファメモリ３５に格納された映像情報が、予め設定された所定のサイズ（ここでは、セルに対応するサイズ）毎に、光ピップアップ１を介して光ディスク２の第０層及び第１層に順に記録される。そして、光ディスク２の第０層に記録されている場合に、第０層の記録可能な空き容量が予め設定された所定の閾値（ここでは、セルに対応するサイズと略同一値）以下であるか否かが判定され、空き容量が所定の閾値以下であると判定された場合に、バッファメモリ３５に格納された映像情報が、所定のサイズ（ここでは、セルに対応するサイズ）毎に、光ディスク２に換えて、ＨＤＤ８に形成され、光ディスク２へ記録する映像情報を一時的に格納する映像記憶部８２に記録されると共に、第０層の終端処理が行われ、第１層への書き込み準備処理が行われる。また、第１層への書き込み準備処理が完了したか否かが判定され、第１層への書き込み準備処理が完了したと判定された場合に、映像記憶部８２に格納された映像情報が、所定のサイズ（ここでは、セルに対応するサイズ）毎に、光ディスク２の第１層に記録されるため、２つの層に記録可能な光ディスク２に映像情報を適正に記録することができる。
【００６０】
すなわち、第０層の記録可能な空き容量が所定の閾値（ここでは、セルに対応するサイズと略同一値）以下であると判定された場合に、バッファメモリ３５に格納された映像情報が、所定のサイズ（ここでは、セルに対応するサイズ）毎に、光ディスク２に換えて、ＨＤＤ８に形成され、光ディスク２へ記録する映像情報を一時的に格納する映像記憶部８２に記録されるため、第０層の終端処理及び第１層への書き込み準備処理が行われている間は、映像情報が光ディスク２に換えてＨＤＤ８に形成された映像記憶部８２に記録されるので、バッファメモリ３５に空き容量が無い場合であっても、映像情報が破棄されることがない。
【００６１】
また、第１層への書き込み準備処理が完了したと判定された場合に、ＨＤＤ８に形成された映像記憶部８２に格納された映像情報が、所定のサイズ（ここでは、セルに対応するサイズ）毎に、光ディスク２の第１層に記録されるため、第１層の終端処理及び第２層への書き込み準備処理が行われている間に映像記憶部８２に格納された映像情報が、光ディスク２の第１層に記録されるので、光ディスク２に格納される映像情報に欠落が発生することがないので、２つの層に記録可能な光ディスク２に映像情報を適正に記録することができるのである。
【００６２】
更に、ＨＤＤ８に形成された映像記憶部８２に格納された全ての映像情報が光ディスク２の第１層に記録されたか否かが判定され、全ての映像情報が光ディスク２の第１層に記録されたと判定された場合に、バッファメモリ３５に格納された映像情報が、所定のサイズ（ここでは、セルに対応するサイズ）毎に、光ディスク２の第１層に記録されるため、簡素な構成で２つの層に記録可能な光ディスク２に映像情報を適正に記録することができる。
【００６３】
すなわち、ＨＤＤ８に形成された映像記憶部８２に格納された全ての映像情報が光ディスク２の第１層に記録されたか否かが判定され、全ての映像情報が光ディスク２の第１層に記録されたと判定された場合に、バッファメモリ３５に格納された映像情報が、所定のサイズ（ここでは、セルに対応するサイズ）毎に、光ディスク２の第１層に記録されるため、第１層の終端処理及び第２層への書き込み準備処理が行われている間の映像情報だけが映像記憶部８２に格納され、映像記憶部８２の容量を小さくすることができるので、簡素な構成で２つの層に記録可能な光ディスク２に映像情報を適正に記録することができるのである。
【００６４】
加えて、光ディスク２が、ＤＶＤであって、所定のサイズが、ＤＶＤ−Ｖｉｄｅｏ規格で規定された再生の基本単位であるセルに対応するサイズであって、所定の閾値が、所定のサイズと略同一の値に設定されているため、２つの層に記録可能な光ディスク２に映像情報を更に適正に記録することができる。
【００６５】
すなわち、光ディスク２に換えてＨＤＤ８に形成された映像記憶部８２に記録するか否かの基準となる所定の閾値が、ＤＶＤ−Ｖｉｄｅｏ規格で規定された再生の基本単位であるセルに対応する所定のサイズと略同一の値に設定されているため、第０層に記録可能なサイズの映像情報を記録することができ、且つ、ＤＶＤ−Ｖｉｄｅｏ規格に準拠してＤＶＤに映像情報を記録することができるので、２つの層に記録可能な光ディスク２（ここでは、ＤＶＤ−Ｒ）に映像情報を更に適正に記録することができるのである。
【００６６】
また、記録媒体がＨＤＤ８を備えるため、ＨＤＤ８内の一部領域を、第１層の終端処理及び第２層への書き込み準備処理が行われている間の映像情報を格納する映像記憶部８２として利用することができるので、更に簡素な構成で２つの層に記録可能な光ディスク２に映像情報を適正に記録することができる。
【００６７】
なお、本発明は、以下の形態にも適用可能である。
（Ａ）本実施形態では、光ディスク記録装置が、ＤＶＤレコーダ１００である場合について説明したが、光ディスク記録装置が、映像情報を記録可能な記録媒体と通信可能に接続され、光ピップアップを介して第０層及び第１層の２つの層に記録可能な光ディスクに映像情報を記録する装置であればよい。例えば、光ディスク記録装置が、ＨＤＤを備え、ＤＶＤに情報を記録する機能を備えたパーソナルコンピュータである形態でもよい。
【００６８】
（Ｂ）本実施形態では、ＤＳＰ３２が、受付部３２１、記録実行部３２２、終端判定部３２３、切換部３２４、準備判定部３２５、記録判定部３２６等の機能部として機能する場合について説明したが、受付部３２１、記録実行部３２２、終端判定部３２３、切換部３２４、準備判定部３２５、及び記録判定部３２６の内、少なくとも１の機能部が回路等のハードウェアによって実現されている形態でもよい。
【００６９】
（Ｃ）本実施形態では、光ディスク２が、第０層及び第１層の２つの層に記録可能なＤＶＤ−Ｒである場合について説明したが、光ディスク２が第０層及び第１層の２つの層に記録可能な光ディスクであればよい。
【００７０】
（Ｄ）本実施形態では、第１記憶手段がバッファメモリ３５からなる場合について説明したが、第１記憶手段が他の種類の記録媒体（例えば、ＨＤＤ等）に形成されている形態でもよい。
【００７１】
（Ｅ）本実施形態では、第２記憶手段がＨＤＤ８に形成されている場合について説明したが、第２記憶手段が他の種類の記録媒体（例えば、ＲＡＭ、ＥＥＰ−ＲＯＭ等）に形成されている形態でもよい。
【００７２】
（Ｆ）本実施形態では、切換部３２４が、記録判定部３２６によって映像記憶部８２に格納された全ての映像情報が光ディスク２の第１層に記録されたと判定された際に、記録実行部３２２に対して、バッファメモリ３５に格納された映像情報を光ディスク２の第１層に記録させる場合について説明したが、切換部３２４が、バッファメモリ３５に格納された映像情報を、映像記憶部８２を経由して光ディスク２の第１層に記録させる形態でもよい。すなわち、テレビ受像機２００から受け付けられた映像情報の流れを、図３に示す（ａ）→（ｂ）→（ｃ）の順に変化させる形態でもよい。この場合には、処理が簡略化される。
【００７３】
（Ｇ）本実施形態では、受付部３２１がテレビ受像機２００から映像情報を受け付ける場合について説明したが、受付部３２１がその他の機器（例えば、ビデオカセットプレーヤ、ＤＶＤプレーヤ等）から映像情報を受け付ける形態でもよいし、ＨＤＤ８に予め格納された映像情報を受け付ける形態でもよい。
【図面の簡単な説明】
【００７４】
【図１】は、本発明に係るＤＶＤレコーダの一例を示す構成図である。
【図２】は、ＤＶＤレコーダ（ＤＳＰ）における主要部の機能構成の一例を示す構成図である。
【図３】は、テレビ受像機から受け付けられた映像情報の流れの変化を示すブロック図である。
【図４】は、本発明に係るＤＶＤレコーダ（主にＤＳＰ）の動作の一例を示すフローチャート（前半部）である。
【図５】は、本発明に係るＤＶＤレコーダ（主にＤＳＰ）の動作の一例を示すフローチャート（後半部）である。
【符号の説明】
【００７５】
１００    ＤＶＤレコーダ（光ディスク記録装置）
１    光ピックアップ
２    ＤＶＤ−Ｒ（光ディスク）
３    出力装置
３２    ＤＳＰ
３２１    受付部（受付手段）
３２２    記録実行部（記録実行手段）
３２３    終端判定部（終端判定手段）
３２４    切換部（切換手段）
３２５    準備判定部（準備判定手段）
３２６    記録判定部（記録判定手段）
３５    バッファメモリ（第１記憶手段）
８    ＨＤＤ（記録媒体）
８１    インターフェイス部
８１１    ＲＡＭ
８２    映像記憶部（第２記憶手段）
２００    テレビ受像機
【図１】
2009104698.tif 000003
【図２】
2009104698.tif 000004
【図３】
2009104698.tif 000005
【図４】
2009104698.tif 000006
【図５】
2009104698.tif 000007